(57)【特許請求の範囲】
【請求項１】
床スラブにアンカーボルトが固定され、床スラブから露出させたアンカーボルトの雄ネジ部にレベル金物が螺着され、前記レベル金物上に立上がりブロックが載置されてなる立上がり基礎構造において、
前記床スラブに孔部を形成する工程と、
前記アンカーボルトに前記レベル金物を螺着させた状態で、前記アンカーボルトの下端側を前記床スラブの前記孔部内に挿入して、前記アンカーボルトの下端が前記孔部の底から浮いた状態で、前記レベル金物を前記床スラブの表面上に設置させる工程と、
前記レベル金物に形成されたグラウト注入部から前記孔部内にグラウトを注入する工程と、
前記床スラブの表面と前記立上がりブロックとの隙間を形成するために、前記グラウト硬化後に、前記レベル金物を回しながら、前記床スラブの前記表面から所定の高さ寸法まで前記レベル金物を上昇させる工程と、
前記レベル金物上に前記立上がりブロックを載置させる工程と、を備えたことを特徴とする立上がりブロックの施工方法。
【請求項２】
前記レベル金物は、中央に形成されて前記アンカーボルトに螺合する雌ネジ部と、径方向に延在する複数の保持片と、を有することを特徴とする請求項１記載の立上がりブロックの施工方法。
【請求項３】
前記保持片は、４本で十字状に配置されていることを特徴とする請求項２記載の立上がりブロックの施工方法。
【請求項４】
前記アンカーボルトの下端には、前記アンカーボルトの径より拡径された抜け止め部が設けられていることを特徴とする請求項１〜３の何れか一項記載の立上がりブロックの施工方法。
【請求項５】
前記抜け止め部は、前記アンカーボルトの下端に螺着されたナットと、前記アンカーボルトが挿入されると共に、前記ナットの上面に当接させられるワッシャと、を有することを特徴とする請求項４に記載の立上がりブロックの施工方法。
【発明の詳細な説明】
【技術分野】
【０００１】
本発明は、床スラブの上方に立上がりブロックを設置する際の施工方法に関するものである。
【背景技術】
【０００２】
従来、このような分野の技術として、特許４２２５８６１号公報がある。この公報に記載された立上がりブロックの施工方法は、床スラブにアンカーボルトを固定する工程と、目地部を作るために、アンカーボルト下部にレベル金物を所定の高さに位置調整して取付ける工程と、立上がりブロック端部の目地部もしくは立上がりブロックの中間孔部からアンカーボルトを貫通させて、レベル金物で立上がりブロック下面を支持して、立上がりブロックを設置する工程と、立上がりブロックの上面から突出したアンカーボルトの突出部に抑え金物を設けて立上がりブロックを固定する立上がりブロック固定工程と、目地部及び立上がりブロックの中間孔部にグラウト材を注入して床スラブと立上がりブロックとの間にグラウト材を充填するグラウト材充填工程と、を備えている。
【先行技術文献】
【特許文献】
【０００３】
【特許文献１】特許４２２５８６１号公報
【発明の概要】
【発明が解決しようとする課題】
【０００４】
しかしながら、床スラブにアンカーボルトを固定する際、床スラブにドリルによって孔部を形成し、この孔部にアンカーボルトを螺着させているので、ドリルによって床スラブに孔部を鉛直方向に正確に穿設しなければ、アンカーボルトを鉛直方向に正確に立設させることができない。アンカーボルトを床スラブに正確に固定できなければ、アンカーボルトに螺着されるレベル金物が傾いて設置されることになり、その結果として、立上がりブロックも傾いて設置されることになる。また、孔部にアンカーボルトを螺着させるにあたって、アンカーボルトの埋め込み深さを正確に把握し難く、更に、アンカーボルトは孔部内に強い力で打ち込まれるので、施工時に床スラブに負荷が加わり、孔部周辺で床スラブにヒビ割れが発生する虞があった。
【０００５】
本発明は、アンカーボルト施工時に床スラブに負荷をかけることなく、しかも、立上がりブロックの設置に利用されるレベル金物を用いて、床スラブにアンカーボルトを精度良く立設させるようにした立上がりブロックの施工方法を提供することを目的とする。
【課題を解決するための手段】
【０００６】
本発明は、床スラブにアンカーボルトが固定され、床スラブから露出させたアンカーボルトの雄ネジ部にレベル金物が螺着され、レベル金物上に立上がりブロックが載置されてなる立上がり基礎構造において、
床スラブに孔部を形成する工程と、
アンカーボルトにレベル金物を螺着させた状態で、アンカーボルトの下端側を床スラブの孔部内に挿入して、アンカーボルトの下端が孔部の底から浮いた状態で、レベル金物を床スラブの表面上に設置させる工程と、
レベル金物に形成されたグラウト注入部から孔部内にグラウトを注入する工程と、
床スラブの表面と立上がりブロックとの隙間を形成するために、グラウト硬化後に、レベル金物を回しながら、床スラブの表面から所定の高さ寸法までレベル金物を上昇させる工程と、
レベル金物上に立上がりブロックを載置させる工程と、を備えたことを特徴とする。
【０００７】
この立上がりブロックの施工方法においては、アンカーボルトにレベル金物を螺着させた状態で、アンカーボルトの下端側を床スラブの孔部内に挿入して、アンカーボルトの下端が孔部から浮いた状態で、レベル金物を床スラブの表面上に配置させ、その状態を保持したまま、孔部内にグラウトが注入されるので、床スラブに孔部をドリル施工するにあたって、孔部が所定位置で鉛直方向に正確に形成されていなくても、孔部の加工精度に影響されることなく、鉛直方向に精度良くアンカーボルトを立設させることができる。従って、ドリル施工に神経を使うことなく、床スラブにアンカーボルトを精度良く立設させることができる。さらに、アンカーボルトの固定作業に使われたレベル金物を、立上がりブロックの設置に再度利用するために、レベル金物を回しながら、床スラブの表面から所定の高さ寸法までレベル金物を上昇させる。このように、一個のレベル金物は、アンカーボルトの自立と立上がりブロックの設置との両方に利用されることになる。また、レベル金物の位置調整だけで、アンカーボルトの埋設深さを容易に設定することができる。更に、アンカーボルトはグラウトにより床スラブに固定されるので、アンカーボルトの施工時に床スラブに負荷が加わることなく、孔部周辺で床スラブにヒビ割れが発生する虞も無い。
【０００８】
また、レベル金物は、中央に形成されてアンカーボルトに螺合する雌ネジ部と、径方向に延在する複数の保持片と、を有する。
このような構成を採用すると、レベル金物にグラウト注入用の孔部を別途形成することなく、グラウト注入部をレベル金物の保持片間に形成することができる。
【０００９】
また、保持片は、４本で十字状に配置されている。
このような構成を採用すると、ケガキ線や墨出し線の交点にドリルの中心を合わせて正確なドリル施工がなされていなくても、４本の保持片を、床スラブ上に引かれたケガキ線や墨出し線に合わせるだけで、アンカーボルトの芯出しを正確に行うことができる。このことは、アンカーボルトの設置作業性を良好にする。
【００１０】
また、アンカーボルトの下端には、アンカーボルトの径より拡径された抜け止め部が設けられている。
このような構成は、アンカーボルトの抜け耐力の向上に寄与する。
【００１１】
また、抜け止め部は、アンカーボルトの下端に螺着されたナットと、アンカーボルトが挿入されると共に、ナットの上面に当接させられるワッシャと、を有する。
この場合、ナットとワッシャといった既製の部品で抜け止め部を構成させることができる。
【発明の効果】
【００１２】
本発明によれば、アンカーボルト施工時に床スラブに負荷をかけることなく、しかも、立上がりブロックの設置に利用されるレベル金物を用いて、床スラブにアンカーボルトを精度良く立設させることができる。
【図面の簡単な説明】
【００１３】
【図１】本発明に係る立上がりブロックの施工方法が適用された立上がり基礎構造の一実施形態を示す断面図である。
【図２】立上がりブロックの施工方法に適用する立上がりブロック設置金具を示す斜視図である。
【図３】本発明に係る立上がりブロックの施工方法を示す断面図である。
【図４】レベル金物を利用してアンカーボルトを立設させた状態を示し、（ａ）は断面図、（ｂ）は平面図である。
【図５】レベル金物を利用してアンカーボルトを立設させた状態を示す斜視図である。
【発明を実施するための形態】
【００１４】
以下、図面を参照しつつ本発明に係る立上がりブロックの施工方法の好適な実施形態について詳細に説明する。
【００１５】
図１に示されるように、建物の外観をなす壁パネル１は、立上がり基礎構造Ａ上に設置されている。この立上がり基礎構造Ａは、床スラブ２に固定されたアンカーボルト３と、アンカーボルト３に螺着されたレベル金物４と、レベル金物４上に設置されたコンクリート製の立上がりブロック５と、を主として備えている。
【００１６】
このような立上がり基礎構造Ａを施工した後、立上がりブロック５の上面には、定規アングル材６が設置され、この定規アングル材６は、押さえプレート７を介してアンカーボルト３に固定されている。このアンカーボルト３は、押さえプレート７を貫通し、押さえプレート７は、ナット８ａの締め付けにより、アンカーボルト３を介して立上がりブロック５の上面にしっかりと固定され、そして、押さえプレート７の押さえ付けにより、定規アングル材６が立上がりブロック５の上面にしっかりと固定される。
【００１７】
なお、貫通孔５ａの上端開口からグラウトＧ１を注入するにあたって、幅の狭い固定用プレート（不図示）が利用される。この固定用プレートにアンカーボルト３の上部を貫通させ、ナット８ａの締め付けにより、固定用プレートは立上がりブロック５の上面にしっかりと固定される。この状態では、貫通孔５ａの上端開口が完全に塞がれていないので、貫通孔５ａの上端開口からグラウトＧ１が注入される。そして、グラウトＧ１硬化後に、固定用プレート（不図示）及びナット８ａが外される。その後、アンカーボルト３の上部を押さえプレート７に貫通させ、押さえプレート７は、ナット８ａの締め付けにより、アンカーボルト３を介して立上がりブロック５の上面にしっかりと固定される。
【００１８】
また、壁パネル１には、輪付きボルト１０が差し込まれており、このリング部１０ａには、壁パネル１の内部で水平方向に延在するアンカー鋼棒１１が挿入され、これによって、輪付きボルト１０が壁パネル１に固定される。ボルト部１０ｂの端部は、壁パネル１の裏面から露出させられ、輪付きボルト１０のボルト部１０ｂと定規アングル材６の上端とを架け渡すように、イナズマプレート１２を壁パネル１の裏面に沿って配置させる。
【００１９】
このとき、イナズマプレート１２の上端側では、輪付きボルト１０のボルト部１０ｂが貫通され、イナズマプレート１２の下端は、定規アングル材６を上から押さえ込む。この状態で、ボルト部１０ｂにナット１３を螺着させ、ナット１３を締め込むことにより、壁パネル１が立上がり基礎構造Ａ上にしっかりと固定させられる。
【００２０】
なお、立上がりブロック５の上面と壁パネル１の下面との間には、ポリエチレン発泡体などのバックアップ材１４が挿入され、更にバックアップ材１４に突き当てるようにしてシーリング材１５が取り付けられる。また、屋外となる表側において、床スラブ２と立上がりブロック５との間にも、シーリング材１６が取り付けられる。これにより、立上がりブロック５と壁パネル１の間及び床スラブ２と立上がりブロック５との間に外部からの水や埃などが侵入するのを防止している。
【００２１】
ここで、立上がり基礎構造Ａに利用される立上がりブロック設置金具２０について説明する。
【００２２】
図２に示されるように、立上がりブロック設置金具２０は、立上がりブロック５の高さよりも長いアンカーボルト３と、アンカーボルト３に螺着される板状のレベル金物４と、アンカーボルト３の下端に螺着されるナット２１と、アンカーボルト３が貫通し且つナット２１で支持されるワッシャ２２と、からなる。
【００２３】
レベル金物４は、中央に形成されてアンカーボルト３に螺合する雌ネジ部４ａと、径方向に延在する複数の保持片４ｂと、を有する。そして、保持片４ｂは、４本で十字状になるように配置され、各保持片４ｂには、略三角形状の端部４ｃが形成されている。また、ナット２１とワッシャ２２とで、アンカーボルト３の径より拡径された抜け止め部２３が構成され、アンカーボルト３の抜け耐力の向上に寄与する。なお、保持片４ｂの間は、グラウト注入部Ｐとして利用される。
【００２４】
次に、立上がりブロックの施工方法について説明する。
【００２５】
図３（ａ）に示されるように、床スラブ２に所定深さの孔部２ａをドリルによって穿設する。その後、図３（ｂ）及び図４に示されるように、アンカーボルト３にレベル金物４を螺着させた状態で、アンカーボルト３の下端側のナット２１及びワッシャ２２を床スラブ２の孔部２ａ内に挿入する。このとき、アンカーボルト３の下端側のナット２１が孔部２ａの底から浮いた状態で、レベル金物４の保持片４ｂを床スラブ２の表面上に設置させる。
【００２６】
このとき、孔部２ａのドリル施工時に芯出しとして利用されるケガキ線Ｌ上に、レベル金物４の保持片４ｂにおける略三角形状の端部４ｃの頂部が載るようにする。これにより、４本の保持片４ｂを、床スラブ２上に引かれたケガキ線Ｌに合わせるだけで、アンカーボルト３の芯出しを正確に行うことができる。このことは、アンカーボルト３の設置作業性を良好にする。
【００２７】
この状態で、図３（ｃ）及び図５に示されるように、グラウト注入部Ｐから孔部２ａ内にグラウトＧ２を注入する。図３（ｄ）に示されるように、グラウトＧ２の硬化後に、床スラブ２の表面と立上がりブロック５との隙間すなわち目地部Ｍを形成するために、レベル金物４を回しながら、床スラブ２の表面から所定の高さ寸法Ｈまでレベル金物４を上昇させる。そして、立上がりブロック５の貫通孔５ａ内にアンカーボルト３を挿入させながら、レベル金物４上に立上がりブロック５を載置させる。
【００２８】
その後、図１に示されるように、固定用プレート（不図示）にアンカーボルト３の上部を貫通させ、ナット８ａの締め付けにより、アンカーボルト３を介して立上がりブロック５の上面にしっかりと固定させる。この状態で、貫通孔５ａの上端開口が完全に塞がれていないので、貫通孔５ａの上端開口からグラウトＧ１が注入される。また、目地部ＭにもグラウトＧ１を注入する。これによって、グラウトＧ１が、床スラブ２の表面と立上がりブロック５との間の目地部Ｍや貫通孔５ａに充填される。なお、グラウトＧ１の注入前に、床スラブ２と立上がりブロック５との間にシーリング材１６が取り付けられる。そして、グラウトＧ１硬化後に、固定用プレート（不図示）及びナット８ａが外される。
【００２９】
その後、アンカーボルト３の上部を押さえプレート７に貫通させて、押さえプレート７の下に定規アングル材６の端部を潜り込ませるように、立上がりブロック５の上面に定規アングル材６を載置させる。そして、アンカーボルト３にナット８ａを螺着させて、ナット８ａを締め込むことで、立上がりブロック５の上面で、押さえプレート７により定規アングル材６が固定される。
【００３０】
この立上がりブロックの施工方法においては、床スラブ２に孔部２ａをドリル施工するにあたって、孔部２ａが所定位置で鉛直方向に正確に形成されていなくても、孔部２ａの加工精度に影響されることなく、鉛直方向に精度良くアンカーボルト３を立設させることができる。従って、ドリル施工に神経を使うことなく、床スラブ２にアンカーボルト３を精度良く立設させることができる。
【００３１】
さらに、アンカーボルト３の固定作業に使われたレベル金物４を、立上がりブロック５の設置に再度利用するために、レベル金物４を回しながら、床スラブ２の表面から所定の高さ寸法Ｈまでレベル金物４を上昇させるので、一個のレベル金物４は、アンカーボルト３の自立と立上がりブロック５の設置との両方に利用されることになる。また、レベル金物４の位置調整だけで、アンカーボルト３の埋設深さを容易に設定することができる。更に、アンカーボルト３はグラウトＧ２により床スラブ２に固定されるので、アンカーボルト３の施工時に床スラブ２に負荷が加わることなく、孔部２ａの周辺で床スラブ２にヒビ割れが発生する虞も無い。
【００３２】
本発明は、前述した実施形態に限定されないことは言うまでもない。例えば、レベル金物４の保持片４ｂの本数は、２本以上であればよく、保持片４ｂは、十字状に限定されず、Ｙ字状であってもよい。円形又は矩形の板状をなすレベル金物に孔部を形成し、この孔部をグラウト注入部にしてもよい。また、抜け止め部２３は、フランジ付きナットであってもよい。
【符号の説明】
【００３３】
１…壁パネル、２…床スラブ、２ａ…孔部、３…アンカーボルト、４…レベル金物、４ａ…雌ネジ部、４ｂ…保持片、５…立ち上がりブロック、２０…立上がりブロック設置金具、２１…ナット、２２…ワッシャ、２３…抜け止め部、Ａ…立上がり基礎構造、Ｇ２…グラウト、Ｌ…ケガキ線、Ｐ…グラウト注入部。
【図１】
0005787669.tif 000002
【図２】
0005787669.tif 000003
【図３】
0005787669.tif 000004
【図４】
0005787669.tif 000005
【図５】
0005787669.tif 000006